(57)【要約】【課題】コンロバーナの傾きを防止すると同時に荷重による天板の歪みを防止して、コンロバーナの燃焼効率の低下を抑制することができるガスコンロを提供する。【解決手段】コンロ本体２の内部に収容されたコンロバーナ１８，１９のバーナボディ２０，２１を支持する第１の支持部材３４と、混合管２４，２５を介してコンロバーナ１８，１９のバーナボディ２０，２１を支持する第２の支持部材３７とを設ける。第２の支持部材３７に、天板３上の五徳６，７の外接円ａ，ｂの内側に対応する天板３の裏面に当接して天板３を支持する天板支持部４０，４１を設ける。【選択図】図３
2011158116.tif 000002
【特許請求の範囲】
【請求項１】
上部が開放されたコンロ本体と、該コンロ本体に収容されたコンロバーナと、該コンロバーナに対応するコンロ開口を有して前記コンロ本体の上面を覆う天板と、複数の五徳爪が環状の五徳枠により連結され、前記コンロ開口を囲うようにして前記天板上に載置された五徳とを備え、前記コンロバーナが、前記コンロ本体に連結された第１の支持部材に支持されるバーナボディと、該バーナボディから延出して燃料ガスと一次空気との混合ガスをバーナボディに導入する混合管と、前記バーナボディの上部に設けられて前記コンロ開口を通して前記天板上に突出し、外周に多数の炎孔を有するバーナヘッドとを備えるガスコンロにおいて、
前記混合管を介して前記バーナボディをコンロ本体に支持する第２の支持部材を設け、
該第２の支持部材に、前記五徳の外接円の内側に対応する前記天板の裏面に当接して該天板を支持する天板支持部を設けたことを特徴とするガスコンロ。
【請求項２】
請求項１記載のガスコンロであって、
前記コンロ本体に一対の前記コンロバーナが収容され、前記天板に一対の前記コンロ開口が形成され、両コンロバーナの混合管が左右方向に並んで前後方向に延びるものにおいて、
前記第２の支持部材は、両コンロバーナの混合管の間に設けられて両混合管を共に支持することを特徴とするガスコンロ。
【請求項３】
請求項１又は２記載のガスコンロであって、
前記コンロ本体に一対の前記コンロバーナが収容され、前記天板に一対の前記コンロ開口が形成されたものにおいて、
前記コンロ本体に連結され、両コンロ開口間の中央部に対応する前記天板の裏面に当接して該天板を支持する天板支持部材を設けたことを特徴とするガスコンロ。
【請求項４】
請求項１乃至３の何れか１項記載のガスコンロであって、
前記コンロ本体の内部にグリル庫が設けられ、前記コンロバーナが該グリル庫に隣接されたものにおいて、
前記第２の支持部材は、前記グリル庫の上壁外面に連結されて該グリル庫を介して前記バーナボディをコンロ本体に支持することを特徴とするガスコンロ。
【発明の詳細な説明】
【技術分野】
【０００１】
本発明は、ガスコンロに関する。
【背景技術】
【０００２】
従来、ガラス製又は金属製の平板で構成される天板を備えるガスコンロが知られている（例えば特許文献１参照）。ガスコンロの天板は、板金のプレス成形品で構成されるものもあるが、最近では、天板をガラス製又は金属製の平板で形成したものが流行している。この天板は、上面がフラットで清掃性、外観性に優れる。
【０００３】
また、このような平板で構成された天板を用いるガスコンロにおいては、天板の上面を広く見せるために、五徳をコンパクトに形成して天板上に載置している。
【先行技術文献】
【特許文献】
【０００４】
【特許文献１】特開２００７−２８５６１３
【発明の概要】
【発明が解決しようとする課題】
【０００５】
しかし、天板上に五徳を載置した構成では、五徳上に比較的重量の大きい鍋等を載置すると、五徳で受けた荷重が天板の一部に集中し、天板に歪みが生じる。特に、五徳は、コンロバーナに対応して天板に形成されたコンロ開口を囲うようにして天板上に載置されているため、天板の外周縁側に比べてコンロ開口の近傍の歪みが大きくなる。
【０００６】
そして、コンロ開口の近傍に天板の歪みが生じると、天板の歪み方向に沿って五徳が傾き、コンロバーナの火炎が均一に鍋底に当たらないばかりか五徳爪を炙ることもあり、コンロバーナの燃焼効率が低下するおそれがある。
【０００７】
また、この種のガスコンロでは、一般に、コンロ本体の左右側壁間に梁部材を架け渡し、この梁部材にコンロバーナのバーナボディを支持することが行われている。
【０００８】
しかし、コンロバーナが、バーナボディから延びる混合管を備えるものでは、バーナボディを梁部材に支持させただけでは、混合管側が不用意に揺動しやすい。そして、燃料ガスを噴射するノズルが先端に設けられたガス供給管が比較的硬い銅製パイプである場合には、混合管の端部にガス供給管を連結して混合管の端部開口にノズルを対向させたときに、ガス供給管の配管形状や配管長さ等の影響によって混合管が傾斜することがある。混合管が傾斜するとコンロバーナが天板に対して傾斜し、これによっても、コンロバーナの火炎が均一に鍋底に当たらず、五徳爪を炙ってコンロバーナの燃焼効率が低下するおそれがある。
【０００９】
上記の点に鑑み、本発明は、コンロバーナの傾きを防止すると同時に荷重による天板の歪みを防止して、コンロバーナの燃焼効率の低下を抑制することができるガスコンロを提供することを目的とする。
【課題を解決するための手段】
【００１０】
本発明は、上部が開放されたコンロ本体と、該コンロ本体に収容されたコンロバーナと、該コンロバーナに対応するコンロ開口を有して前記コンロ本体の上面を覆う天板と、複数の五徳爪が環状の五徳枠により連結され、前記コンロ開口を囲うようにして前記天板上に載置された五徳とを備え、前記コンロバーナが、前記コンロ本体に連結された第１の支持部材に支持されるバーナボディと、該バーナボディから延出して燃料ガスと一次空気との混合ガスをバーナボディに導入する混合管と、前記バーナボディの上部に設けられて前記コンロ開口を通して前記天板上に突出し、外周に多数の炎孔を有するバーナヘッドとを備えるガスコンロにおいて、前記混合管を介して前記バーナボディをコンロ本体に支持する第２の支持部材を設け、該第２の支持部材に、前記五徳の外接円の内側に対応する前記天板の裏面に当接して該天板を支持する天板支持部を設けたことを特徴とする。
【００１１】
バーナボディは、前記第１の支持部材（例えば、コンロ本体を構成する左右側壁間に掛け渡された梁部材等）によって支持されるだけでなく、バーナボディから延出して設けられた混合管を介して前記第２の支持部材によっても支持される。これにより、混合管を揺動不能とすることができ、コンロバーナが天板に対して傾斜することによるコンロバーナの燃焼効率の低下を防止することができる。
【００１２】
更に、前記第２の支持部材に設けた前記天板支持部は、天板の裏面に当接して天板に付与された荷重をその下方から受ける。これにより、天板に付与された荷重によるコンロ本体内部方向への天板の凹入変形が防止される。このとき、前記天板支持部は、五徳の外接円の内側に対応する天板の裏面に当接するので、五徳上に比較的重量の大きい鍋等を載置した場合等に五徳からの荷重が集中しやすい位置でこの荷重を支えることができ、天板の歪みを効率良く確実に防止することができる。
【００１３】
更に、前記第２の支持部材に前記天板支持部を設けることにより単一の部材とすることができ、部品点数を増加させることなく、コンロバーナの傾斜と天板の歪みとの両方を防止することができる。
【００１４】
また、前記コンロ本体に一対の前記コンロバーナが収容され、前記天板に一対の前記コンロ開口が形成され、両コンロバーナの混合管が左右方向に並んで前後方向に延びるものにおいては、前記第２の支持部材は、両コンロバーナの混合管の間に設けられて両混合管を共に支持することが好ましい。これによれば、前記第２の支持部材が両コンロバーナの各混合管を同時に支持し、コンロバーナの相互間の位置ずれを防止することができる。
【００１５】
また、前記コンロ本体に一対の前記コンロバーナが収容され、前記天板に一対の前記コンロ開口が形成されたものにおいては、前記コンロ本体に連結され、両コンロ開口間の中央部に対応する前記天板の裏面に当接して該天板を支持する天板支持部材を設けることが好ましい。
【００１６】
両コンロバーナに対応して設けられる両五徳上に比較的重量の大きい鍋等が載置されると、その荷重は両コンロ開口間の中央部に集中して、当該中央部がコンロ本体内部方向へ凹入変形するおそれがある。そこで、前記天板支持部材を設けることによって、該天板支持部材が両コンロ開口間の中央部に対応する前記天板の裏面に当接し、該天板における両コンロ開口間の中央部の歪みを確実に防止することができる。
【００１７】
また、前記コンロ本体の内部にグリル庫が設けられ、前記コンロバーナが該グリル庫に隣接されたものにおいては、前記第２の支持部材を前記グリル庫の上壁外面に連結し、該グリル庫を介して前記バーナボディをコンロ本体に支持することが好ましい。
【００１８】
これにより、前記第２の支持部材が、天板の比較的近くに位置する前記グリル庫の上壁外面に連結するので、第２の支持部材をコンパクトに形成することができ、十分な強度を確保しつつ小型軽量化を図ることができる。
【図面の簡単な説明】
【００１９】
【図１】本発明の実施形態のガスコンロを示す説明的平面図。
【図２】天板及び五徳を取り除いて示す本実施形態のガスコンロの斜視図。
【図３】本実施形態のガスコンロの要部を示す断面図。
【発明を実施するための形態】
【００２０】
本発明の一実施形態を図面に基づいて説明する。本実施形態は、キッチンのカウンタートップに設置されるビルトイン式のガスコンロ１であり、図１及び図２に示すように、コンロ本体２と、そのコンロ本体２上面に設置される天板３とを備えている。
【００２１】
天板３は、図１に示すように、上面が平坦な板状に形成されている。天板３には、後述する一対のコンロバーナ１８，１９の各バーナヘッド２２，２３が露出する一対のコンロ開口４，５が形成されている。コンロ開口４，５の周囲には、各バーナヘッド２２，２３に示すように対応する一対の五徳６，７が設けられている。
【００２２】
五徳６，７は、コンロ開口４，５を囲うようにして天板３上に載置された環状の五徳枠８，９と、この五徳枠８，９に連結され、バーナヘッド２２，２３を中心としてその外方に放射状となる姿勢に配設された複数の五徳爪１０，１１とを備えている。
【００２３】
また、五徳枠８，９の内側の天板３上には、バーナヘッド２２，２３とコンロ開口４，５との隙間を覆う環状の閉塞板１２，１３が設けられている。
【００２４】
コンロ本体２は、図２に示すように、上部が開放された箱形状に形成されている。コンロ本体２の内部には、前端が扉１４により開閉される箱形状のグリル庫１５が収容されている。グリル庫１５の内部には、図示しないグリルバーナが設けられ、グリル庫１５の後端にはコンロ本体２の後壁１６に沿って延びる排気路１７が連設されている。
【００２５】
コンロ本体２内部におけるグリル庫１５の外側の左右上方には、一対のコンロバーナ１８，１９が配設されている。コンロバーナ１８，１９は、バーナボディ２０，２１と、バーナボディ２０，２１の上部に設けられて外周に複数の炎口を備えるバーナヘッド２２，２３とを備えている。
【００２６】
バーナボディ２０，２１には、コンロ本体２の後方へ延びる混合管２４，２５が連設されている。混合管２４，２５の端部には、金属製パイプによるガス供給管２６，２７の先端に設けられた図示されないノズルを支持するノズル支持部材２８，２９が連設されている。
【００２７】
バーナボディ２０，２１及び混合管２４，２５は、金属板材のプレス成形による上下２部材を互いに接合することにより形成されており、互いに重合させる接合面を形成するために外方に張出す鍔状の接合部３０，３１が形成される。バーナボディ２０，２１は、コンロ本体２の左右の側壁３２，３３間に架け渡された梁部材３４（第１の支持部材）に接合部３０，３１を介して連結支持されている。更に、バーナボディ２０，２１間の中央部に対応する梁部材３４には、下端が梁部材３４に連結され、上端には水平方向に平坦な天板当接面３５が形成された天板支持部材３６が設けられている。天板支持部材３６は、図１に示すように、両コンロ開口４，５間の中央部に対応する天板３の裏面に当接して該天板３を支持する。
【００２８】
これによれば、例えば、両方の五徳６，７に比較的重量のある鍋等を載置して、両コンロ開口４，５間の中央部にその荷重が集中しても、天板３の裏面から天板支持部材３６の天板当接面３５が当接してその荷重を梁部材で受け、天板３がコンロ本体２の内方に落ち込むように変形することを防止することができる。
【００２９】
また、図２及び図３に示すように、グリル庫１５の上壁外面には、混合管２４，２５を介してバーナボディ２０，２１を支持するバーナ支持部材３７（第２の支持部材）が設けられている。バーナ支持部材３７は、金属製の板部材により形成されて下端がグリル庫１５の上壁に連結され、両側端部の夫々に切欠き部３８，３９を備えている。各切欠き部３８，３９は、混合管２４，２５から外方に張出している前記接合部３０，３１を係止し、これによって混合管２４，２５を揺動不能に支持している。
【００３０】
更に、バーナ支持部材３７は、その上端に一対の天板支持部４０，４１を備えている。各天板支持部４０，４１は、バーナ支持部材３７の上端から水平方向に張出し、図３に示すように、天板３の裏面に当接する。更に、各天板支持部４０，４１は、夫々、図１に示すように、少なくとも五徳６，７の五徳爪１０，１１の外接円ａ，ｂの内側に対応するように配設されている。
【００３１】
上記構成によれば、前記バーナ支持部材３７を設けたことにより、梁部材３４とバーナ支持部材３７とでバーナボディ２０，２１を確実に固定することができ、バーナヘッド２２，２３が不用意に傾くことがない。従って、コンロバーナ１８，１９が天板３に対して傾斜することによる二次空気の乱れや五徳爪１０，１１の炙りが防止でき、コンロバーナ１８，１９の燃焼効率の低下を防止することができる。更に、バーナ支持部材３７が前記天板支持部４０，４１を備えており、各天板支持部４０，４１が各五徳６，７の外接円ａ，ｂの内側に対応する天板３の裏面に当接するので、両五徳６，７の何れか一方又は両方の上に比較的重量の大きい鍋等を載置した場合等に五徳６，７からの荷重が集中しやすい位置でこの荷重を支えることができ、天板３の歪みを効率良く確実に防止することができる。
【００３２】
また、前記バーナ支持部材３７に前記天板支持部４０，４１を設けることにより単一の部材とすることができ、部品点数を増加させることなく、コンロバーナ１８，１９の傾斜と天板３の歪みとの両方を防止することができる。更に、前記バーナ支持部材３７は、前記グリル庫１５の上壁外面に連結されている。これによれば、バーナ支持部材３７をコンパクトに形成して天板３から付与される荷重に耐え得る十分な強度を確保することができる。
【００３３】
なお、本実施形態においては、両バーナボディ２０，２１の混合管２４，２５がコンロ本体２の後方に向かって延設されたものを示したが、本発明は、両混合管２４，２５がコンロ本体２の前方に向かって延設されている場合であっても同様の効果を得ることができる。
【００３４】
また、本実施形態においては、一対のコンロバーナ１８，１９を備えるガスコンロ１を示したが、コンロバーナの個数に限定されるものではなく、単一のコンロバーナを備えるものであっても、或いは３個以上のコンロバーナを備えるものであっても、混合管を支持するバーナ支持部材（第２の支持部材）に天板支持部を設ける構成を適用することができる。
【符号の説明】
【００３５】
１…ガスコンロ、２…コンロ本体、３…天板、４，５…コンロ開口、６，７…五徳、８，９…五徳枠、１０，１１…五徳爪、１５…グリル庫、１８，１９…コンロバーナ、２０，２１…バーナボディ、２２，２３…バーナヘッド、２４，２５…混合管、３４…梁部材（第１の支持部材）、３６…天板支持部材、３７…バーナ支持部材（第２の支持部材）、４０，４１…天板支持部、ａ，ｂ…外接円。
【図３】
2011158116.tif 000003
【図１】
2011158116.tif 000004
【図２】
2011158116.tif 000005